(57)【要約】【課題】本発明は、装置の小型化を実現させると共に、可動枠の移動を安定させたレンズ駆動装置を提供する。【解決手段】レンズ駆動装置は、レンズＲを支持すると共にベース部３に対して光軸Ｃの方向に移動自在に支持された可動枠１０と、可動枠１０に設けられる駆動部とを備えている。レンズ駆動装置は、上記駆動部に駆動信号を供給する可撓性のＦＰＣ７を備え、ＦＰＣ７は、可動枠１０に一端側が固定された可動枠側固定部から光軸Ｃの直交方向に延在する面１０ｓに沿って延在する第１の延在部７ｅと、第１の延在部７ｅの他端側で一端側が連結され、光軸Ｃの方向に延在して、ベース部３に他端側が固定されたベース側固定部７ｍを有する第２の延在部７ｇと、を備えている。【選択図】図２
2014145854.tif 000002
【特許請求の範囲】
【請求項１】
レンズを支持すると共にベース部に対して光軸の方向に移動自在に支持された可動枠と、前記可動枠に設けられる駆動部と、を備えたレンズ駆動装置において、
前記駆動部に駆動信号を供給する可撓性の給電部を備え、
前記給電部は、
前記可動枠に一端側が固定された第１の固定部から、前記可動枠における前記光軸の直交方向に延在する面に沿って延在する第１の延在部と、
前記第１の延在部の他端側で一端側が連結され、前記光軸の方向に延在して、前記ベース部に他端側が固定された第２の固定部を有する第２の延在部と、を備えたことを特徴とするレンズ駆動装置。
【請求項２】
前記第１の固定部は、前記可動枠における前記光軸の直交方向に延在する前記面の第１の隅部に位置しており、前記第１の延在部の前記他端側は、前記面の前記第１の隅部に対向する第２の隅部を越えて延在していることを特徴とする請求項１に記載のレンズ駆動装置。
【請求項３】
前記第１及び第２の延在部は、給電基部から二股に分かれて延在する第１及び第２の枝部からなり、
前記可動枠における前記光軸の直交方向に延在する前記面には、前記駆動部のコイルを装填するコイル装填部が設けられており、
前記コイルは、前記第１及び第２の枝部の裏面側に固定されており、
前記第１の固定部は、前記コイルが前記可動枠の前記コイル装填部に装填されて成すことを特徴とする請求項１又は２に記載のレンズ駆動装置。
【発明の詳細な説明】
【技術分野】
【０００１】
本発明は、レンズを可動枠内で移動させることによって、焦点の調節や像振れ補正を行うレンズ駆動装置に関する。
【背景技術】
【０００２】
従来、このような分野の技術文献として特開２０１１−３９４２６号公報がある。この公報には、レンズを保持し固定枠に対して光軸方向に移動する可動枠と、可動枠を光軸方向に移動させる駆動機構とを備えたレンズ駆動装置が記載されている。この駆動機構は、駆動用コイルを構成する導線に電気的に接続されたフレキシブルプリント基板（以下、ＦＰＣとする）を備えている。この公報に記載されたＦＰＣは、ＦＰＣの一端に設けられ可動枠に固定された可動枠側固定部と、ＦＰＣの他端に設けられ上記固定枠に固定された固定枠側固定部と、を有している。そして、このＦＰＣにおいて、可動枠側固定部と固定枠側固定部とは、光軸方向に延在し、略１８０度で折り返された接続部によって接続されている。このように、光軸方向に延在すると共に１８０度で折り返された接続部を有することにより、可動枠を固定枠に対して相対移動させやすくしている。
【先行技術文献】
【特許文献】
【０００３】
【特許文献１】特開２０１１−３９４２６号公報
【発明の概要】
【発明が解決しようとする課題】
【０００４】
しかしながら、前述したような折り返し部を有する接続部を備えたＦＰＣを用いる場合、この接続部は可動枠と固定枠との間で折り返されているので、ＦＰＣが装置内部で占めるスペースが大きくなっているという問題がある。また、ＦＰＣが上記のような接続部を有する場合は、給電部を装置内部に配置するためのスペースを大きく確保しなければならないので、装置を小型化できないという課題がある。また、前述したようにＦＰＣを可動枠と固定枠に固定する場合、可動枠を固定枠に対して移動させるときに可動枠に対してＦＰＣとの固定部分を中心とした回転方向への力が働きやすくなる。よって、可動枠が本来移動させるべき軌道から逸脱して移動してしまい、可動枠の固定枠に対する移動が不安定になるおそれがある。
【０００５】
そこで、本発明は、装置の小型化を実現させると共に、可動枠の移動を安定させたレンズ駆動装置を提供することを目的とする。
【課題を解決するための手段】
【０００６】
上記課題を解決するため、本発明は、レンズを支持すると共にベース部に対して光軸の方向に移動自在に支持された可動枠と、可動枠に設けられる駆動部と、を備えたレンズ駆動装置において、駆動部に駆動信号を供給する可撓性の給電部を備え、給電部は、可動枠に一端側が固定された第１の固定部から、可動枠における光軸の直交方向に延在する面に沿って延在する第１の延在部と、第１の延在部の他端側で一端側が連結され、光軸の方向に延在して、ベース部に他端側が固定された第２の固定部を有する第２の延在部と、を備えたことを特徴とする。
【０００７】
本発明に係るレンズ駆動装置によれば、可撓性の給電部は、可動枠における光軸の直交方向に延在する面に沿って延在する第１の延在部と、第１の延在部における第１の固定部の反対側の端部で連結され光軸の方向に延在する第２の延在部とを有している。そして、光軸の直交方向に延在する第１の延在部は可動枠に固定され、光軸方向に延在する第２の延在部の他端側はベース部に固定されている。よって、第１の延在部と第２の延在部とは直角を成し、第１の延在部と第２の延在部とを可動枠に沿わせるように配置できるので、１８０度で折り返された従来の給電部と比較して、給電部が装置内部で占めるスペースを低減させることができる。従って、確保しなければならない給電部の配置スペースを低減させることができるので、装置を小型化させることが可能となる。また、可動枠に対する第１の固定部を有する第１の延在部とベース部に対する第２の固定部を有する第２の延在部とが直角を成しており、この直角部分で突っ張り力が働くので、直角部分が無い場合と比較して第１の延在部が光軸に直交する平面上で回転しにくくなっている。このように、第１の延在部と第２の延在部とが直交しているので、光軸に直交する平面上における回転方向への力が可動枠にかかりにくくなっている。よって、可動枠が光軸方向への軌道から逸脱して移動する事態の発生を抑制できるので、可動枠のベース部に対する光軸方向への移動を安定させることができる。
【０００８】
また、第１の固定部は、可動枠における光軸の直交方向に延在する面の第１の隅部に位置しており、第１の延在部の他端側は、上記面の第１の隅部に対向する第２の隅部を越えて延在している。
このように、第１の固定部は、可動枠における光軸の直交方向に延在する面の第１の隅部に位置し、第１の延在部は、第１の隅部から第２の隅部を越えて延在している。よって、第１の延在部を可動枠上で長く配置させることができ、第１の延在部の可動枠に対する第１の固定部と、第２の延在部のベース部に対する第２の固定部との距離を長くすることができる。ここで、仮に二箇所の固定部が近接している場合、可動枠をベース部に対して光軸方向に移動させる際に、上記固定部を中心として回転する回転方向への力が働きやすくなり、可動枠が光軸方向への軌道から逸脱して移動してしまうおそれがある。しかしながら、本発明では、可動枠に対する第１の固定部の位置がベース部に対する第２の固定部の位置から離れているので、可動枠をベース部に対して光軸方向に移動させたときに固定部を中心として回転する回転方向への力が働きにくくなり、可動枠が光軸方向への軌道から逸脱して移動するおそれを回避できる。従って、可動枠のベース部に対する移動を安定させることができる。
【０００９】
また、第１及び第２の延在部は、給電基部から二股に分かれて延在する第１及び第２の枝部からなり、可動枠における光軸の直交方向に延在する面には、駆動部のコイルを装填するコイル装填部が設けられており、コイルは、第１及び第２の枝部の裏面側に固定されており、第１の固定部は、コイルが可動枠のコイル装填部に装填されて成している。
このように、第１及び第２の延在部を給電基部から二股に分かれた第１及び第２の枝部とすると、それぞれの第１及び第２の延在部を互いに独立して撓ませることができる。また、本発明では駆動部のコイルが第１及び第２の枝部のそれぞれの裏面側に固定されているので、コイルのコイル装填部への装填も各枝部で独立して行うことができる。よって、それぞれのコイルをコイル装填部に装填すれば良いので、たとえコイルやコイル装填部に寸法誤差があったとしても、一方のコイルの装填が他方のコイルの装填に影響を与えることはなく、寸法誤差があった方のコイル又はコイル装填部を微調整すればよい。すなわち、コイルをコイル装填部に対して容易に装填できるので、給電部を可動枠に対して容易に固定させることができる。
【発明の効果】
【００１０】
本発明によれば、装置の小型化を実現させると共に、可動枠の移動を安定させることができる。
【図面の簡単な説明】
【００１１】
【図１】本発明に係るレンズ駆動装置の一実施形態を示す斜視図である。
【図２】図１のレンズ駆動装置の蓋部を外した状態を示す斜視図である。
【図３】図１のレンズ駆動装置を示す分解斜視図である。
【図４】図１のレンズ駆動装置を示す分解斜視図である。
【図５】可動枠及びＦＰＣを示す斜視図である。
【図６】ベース部及び可動枠を示す断面図である。
【図７】可動枠及びレンズ保持枠を示す断面図である。
【図８】ＦＰＣを示す斜視図である。
【図９】可動枠及びＦＰＣを示す斜視図である。
【発明を実施するための形態】
【００１２】
以下、図面を参照しつつ本発明に係るレンズ駆動装置の好適な実施形態について詳細に説明する。
【００１３】
図１に示されるレンズ駆動装置は、像振れ補正を行うデジタルカメラ、携帯電話機あるいはスマートフォン等に用いられ、撮像素子であるＣＣＤ［Charge  Coupled  Device］イメージセンサやＣＭＯＳ［Complementary  Metal  Oxide  Semiconductor］イメージセンサの前方に配置されて利用される。
【００１４】
図１〜図３に示されるように、レンズ駆動装置１は、直方体状の蓋体２と、蓋体２の開口を塞ぐための矩形状のベース部３と、焦点の調節を行う焦点調節用駆動部４と外部回路との間の電気的接続を確保するための焦点調節用のフレキシブルプリント基板（以下、ＦＰＣとする）５と、像振れ補正用駆動部（駆動部）６と外部回路との電気的接続を確保するための像振れ補正用のＦＰＣ（給電部）７と、少なくとも１枚以上のレンズＲを収容する略円柱状のレンズバレル８と、を備えている。なお、以下では、レンズＲの光軸Ｃに対して直交する方向をＸ軸、光軸Ｃ方向及びＸ軸に直交する方向をＹ軸として説明する。
【００１５】
蓋体２は、レンズＲの光軸Ｃを中心とする円形の開口部２ａを有する箱状の部材であり、ベース部３は、光軸Ｃを中心とする円形の開口部３ａを有する矩形枠状の部材である。レンズバレル８は、レンズＲを、蓋体２の開口部２ａ及びベース部３の開口部３ａから露出させた状態で保持している。ベース部３は、ベース部３の周縁部の一辺から光軸Ｃの方向に突出する突起部３ｂを有しており、この突起部３ｂの中央部には矩形状の開口部３ｃが形成されている。この開口部３ｃには、ＦＰＣ５の先端部５ａに固定されたＨ形の樹脂製絶縁板９が入り込み、この樹脂製絶縁板９が開口部３ｃを塞いでいる。ＦＰＣ７は、図２に示されるように、給電基部７ｐと、給電基部７ｐから分岐する第１及び第２の枝部７ａ，７ｂとを有する。ＦＰＣ７は、蓋体２及びベース部３に近接した位置で第１の枝部７ａと第２の枝部７ｂとに分岐している。各枝部７ａ，７ｂの先端は可動枠１０に固定され、各枝部７ａ，７ｂの先端の上には像振れ補正用駆動部６のマグネット６ａ，６ｂの吸着力を増幅させるリターンヨーク１１が固定されている。
【００１６】
可動枠１０は、ベース部３に対して光軸Ｃ方向に移動自在に支持されている。図３〜図５に示されるように、可動枠１０は、光軸Ｃを中心とする円形の開口部１０ａと、片側の各隅部に形成された長円状のコイル装填部１０ｂと、可動枠１０の外周面に形成された球体１３が入り込む３個のボール載置凹部１０ｃ（図５参照）と、を有している。可動枠１０の開口部１０ａにはレンズバレル８が入り込むようになっており、可動枠１０のコイル装填部１０ｂには、像振れ補正用駆動部６の長円状を成すコイル６ｃ，６ｄが嵌合されて固定される。また、可動枠１０は、可動枠１０の周縁部の片側で光軸Ｃの方向に突出するマグネット保持部１０ｅと、可動枠１０の隅部であって光軸Ｃを挟んでマグネット保持部１０ｅの対向側に設けられた２個の突起部１０ｆと、を備えている。
【００１７】
可動枠１０のマグネット保持部１０ｅは、光軸Ｃ方向から見て三日月状に形成されており、マグネット保持部１０ｅの両端に形成された支柱部１０ｇには、その外側において半円柱状に切り欠かれて光軸Ｃ方向に延在する球受け部１０ｈが設けられている。一方の球受け部１０ｈには２個の球体１５が入り込み、他方の球受け部１０ｈには１個の球体１５が入り込んでいるが、他方の球受け部１０ｈに２個の球体１５が入り込み、一方の球受け部１０ｈに１個の球体１５が入り込んでいてもよい。
【００１８】
また、図４に示されるように、ベース部３の突起部３ｂの両端に形成された支柱部３ｆには、半円柱状に切り欠かれた球受け部３ｄが３箇所に形成されており、それぞれの球受け部３ｄは、上記の球受け部１０ｈに対応した位置に形成されている。図６に示されるように、ベース部３には、ベース部３の突起部３ｂの内側にコイル４ａ及びヨーク１６を嵌合させるための嵌合凹部３ｅが形成されており、この嵌合凹部３ｅに焦点調節用駆動部４のコイル４ａと２個のヨーク１６とが嵌合される。焦点調節用駆動部４のコイル４ａは、光軸Ｃ方向から見て台形の上底部を成す中央部４ｂと、中央部４ｂの両側にそれぞれ位置する端部４ｃとを有しており、端部４ｃは中央部４ｂに対して内側に約４５度折り曲げられている。コイル４ａの端部４ｃの外側には、それぞれヨーク１６が配置されている。
【００１９】
また、図５に示されるように、可動枠１０のマグネット保持部１０ｅの外周には、光軸Ｃ方向及びＹ軸方向に延在する平坦状のマグネット固定部１０ｉと、マグネット固定部１０ｉに対して４５度傾いて形成されるマグネット固定部１０ｊと、マグネット固定部１０ｉに対してマグネット固定部１０ｊの逆側に４５度傾いて形成されるマグネット固定部１０ｋと、が設けられている。マグネット固定部１０ｉ，１０ｊ，１０ｋのそれぞれには、焦点調節用駆動部４のマグネット４ｄ，４ｅ，４ｆが固定される。可動枠１０がベース部３に保持された状態では、図６に示されるように、マグネット４ｄの外側に台形状のコイル４ａの中央部４ｂが対面し、マグネット４ｅ，４ｆの外側にコイル４ａのそれぞれの端部４ｃが対面している。
【００２０】
また、コイル４ａの中央部４ｂの内側には磁場検出素子であるホール素子１７（図３参照）が配置され、ホール素子１７はＦＰＣ５の先端部５ａに固定されている。ホール素子１７の両端側には、コイル４ａの中央部４ｂから端部４ｃにかけて延在する２個の鉄製のリード１８が配置されており、リード１８におけるコイル４ａの端部４ｃ側の端部１８ａは、図６に示されるように、コイル４ａの端部４ｃの外側に延出された状態で端部４ｃのコイル線に電気的に接続されている。
【００２１】
上記のコイル４ａ及びマグネット４ｄ，４ｅ，４ｆが協働することによって、可動枠１０は、ベース部３に対して光軸Ｃ方向に移動し、焦点の調節及び焦点距離の変更を行うことが可能となる。また、ヨーク１６がコイル４ａの端部４ｃの外側に設けられることにより、ベース部３に嵌合されたヨーク１６が可動枠１０に固定されたマグネット４ｅ，４ｆに吸引されて、可動枠１０のベース部３に対する光軸Ｃに直交する方向への磁気吸引力が発生する。また、可動枠１０の球受け部１０ｈ（図５参照）とベース部３の球受け部３ｄ（図４参照）との間に球体１５が介在した状態でベース部３と可動枠１０とが吸引されるので、可動枠１０が球体１５を介してベース部３に摺動自在に支持される。
【００２２】
また、図４及び図５に示されるように、可動枠１０の隅部に設けられた２個の突起部１０ｆは、レンズ保持枠２０の浮き上がりを防止する押さえ板２１を接合するための係合突起１０ｍを有している。可動枠１０の突起部１０ｆにおける光軸Ｃを挟んで対向側に設けられるマグネット保持部１０ｅの支柱部１０ｇには、それぞれ押さえ板２１を接合するための係合突起１０ｎが設けられている。可動枠１０の係合突起１０ｍ，１０ｎは、それぞれ押さえ板２１の係合孔２１ａ，２１ｂに係合される。これにより、可動枠１０と押さえ板２１とがレンズ保持枠２０を挟んだ状態で固定される。
【００２３】
図７に示されるように、レンズバレル８を保持するレンズ保持枠２０は、可動枠１０に対して、光軸Ｃの直交方向に移動自在に支持されている。レンズ保持枠２０は、レンズバレル８を嵌合させる円形の開口部２０ａと、像振れ補正用駆動部６のマグネット６ａ，６ｂを固定させるマグネット嵌合孔２０ｂと、レンズ保持枠２０を可動枠１０に支持するための第１〜第３の吸引マグネット５１，５２，５３の固定に利用するマグネット嵌合凹部２０ｃと、球体１３を受け入れる球受け凹部２０ｄ（図４参照）と、を備えている。
【００２４】
レンズ保持枠２０のマグネット嵌合孔２０ｂは、可動枠１０のコイル装填部１０ｂ（図６参照）に対応する位置に２個設けられている。マグネット嵌合孔２０ｂに嵌め込まれたマグネット６ａ，６ｂは、光軸Ｃ方向に、コイル装填部１０ｂに嵌め込まれたコイル６ｃ，６ｄと対面する。レンズ保持枠２０は、像振れ補正用駆動部６のコイル６ｃ，６ｄとマグネット６ａ，６ｂとの協働によって、可動枠１０に対して光軸Ｃの直交方向に移動して像振れ補正を行うことが可能となる。
【００２５】
レンズ保持枠２０のマグネット嵌合凹部２０ｃは３個設けられており、それぞれのマグネット嵌合凹部２０ｃには４極着磁された第１〜第３の吸引マグネット５１，５２，５３が嵌め込まれる。また、図５に示されるように、可動枠１０は、フォーク状を成す第１〜第３の鉄片４１，４２，４３を挿入するための孔部である金属片挿入部１０ｄを３箇所に有しており、それぞれの金属片挿入部１０ｄはレンズ保持枠２０のマグネット嵌合凹部２０ｃに対応する位置に設けられている。レンズ保持枠２０のマグネット嵌合凹部２０ｃに嵌め込まれた第１〜第３の吸引マグネット５１，５２，５３は、可動枠１０の金属片挿入部１０ｄに挿入された第１〜第３の鉄片４１，４２，４３と光軸Ｃ方向に対面する。よって、レンズ保持枠２０が可動枠１０に配置された状態では、第１〜第３の吸引マグネット５１，５２，５３と第１〜第３の鉄片４１，４２，４３とによって発生する磁気吸引力により、レンズ保持枠２０と可動枠１０とが引きつけ合っている。
【００２６】
このような第１の吸引マグネット５１と第１の鉄片４１によって第１の吸引部３１が構成され、第２の吸引マグネット５２と第２の鉄片４２によって第２の吸引部３２が構成され、第３の吸引マグネット５３と第３の鉄片４３によって第３の吸引部３３が構成されている。また、第１〜第３の吸引部３１，３２，３３で発生する磁気吸引力は、像振れ補正用駆動部６のマグネット６ａ，６ｂとリターンヨーク１１とによって発生する磁気吸引力よりも強くなっている。よって、レンズ保持枠２０を可動枠１０に対して光軸Ｃの直交方向に移動させた際に、確実にレンズ保持枠２０を可動枠１０内の中心位置に移動させることができる。
【００２７】
図４に示されるように、レンズ保持枠２０の球受け凹部２０ｄは、可動枠１０のボール載置凹部１０ｃ（図５参照）に対応する位置に３個設けられている。レンズ保持枠２０が可動枠１０に配置された状態では、レンズ保持枠２０の球受け凹部２０ｄと可動枠１０のボール載置凹部１０ｃとにより、球体１３が入る程度の大きさの空間が形成される。この球受け凹部２０ｄとボール載置凹部１０ｃとで形成される空間に球体１３を入れることにより、球体１３でレンズ保持枠２０が可動枠１０に対して移動自在に支持される。また、光軸Ｃに直交する平面において、３個の球体１３を結ぶと二等辺三角形となり、レンズ保持枠２０が可動枠１０に三点支持されることとなる。よって、レンズ保持枠２０を可動枠１０に対して安定した状態で移動させることができる。
【００２８】
また、図３に示されるように、光軸Ｃ方向におけるレンズ保持枠２０の押さえ板２１側には、光軸Ｃ方向から見たときの形状が三日月状のバックヨーク２５が設けられている。このバックヨーク２５は、組み立て時には、レンズ保持枠２０のマグネット６ａ，６ｂ，５１，５２，５３（図７参照）に密着される。
【００２９】
ところで、レンズ保持枠２０を光軸Ｃに直交する平面内で移動させるための駆動信号は、ＦＰＣ７によって像振れ補正用駆動部６のコイル６ｃ，６ｄに供給される。図８及び図９に示されるように、ＦＰＣ７は、板状を成す可撓性部材で構成されているので折り曲げることができる。このＦＰＣ７における各枝部７ａ，７ｂの裏面側には、磁気検出のためのホール素子１２が固定されている。また、ＦＰＣ７の各枝部７ａ，７ｂは、可動枠１０における光軸Ｃの直交方向に延在する面１０ｓ上を延在する第１の延在部７ｅと、光軸Ｃ方向に延在する第２の延在部７ｇと、可動枠１０から離れる方向に延在する第３の延在部７ｋ、とを有している。
【００３０】
ＦＰＣ７の第１の延在部７ｅの一端には、可動枠１０の突起部１０ｆ側の第１の隅部１０ｔに固定される可動枠側固定部（第１の固定部）７ｄを有している。ＦＰＣ７の各第１の延在部７ｅの先端には、ホール素子１２を囲むように像振れ補正用駆動部６のコイル６ｃ，６ｄが固定されている。そして、これらのコイル６ｃ，６ｄが可動枠１０のコイル装填部１０ｂ（図５参照）に装填されることによりＦＰＣ７が可動枠１０に固定され、ＦＰＣ７の可動枠側固定部７ｄが構成されている。
【００３１】
このように、ＦＰＣ７では、像振れ補正用駆動部６のコイル６ｃ，６ｄが枝部７ａ，７ｂのそれぞれの裏面側に固定されているので、コイル６ｃ，６ｄのコイル装填部１０ｂへの装填も各枝部７ａ，７ｂで独立して行うことができる。よって、それぞれのコイル６ｃ，６ｄを可動枠１０のコイル装填部１０ｂに装填すれば良いので、たとえコイル６ｃ，６ｄやコイル装填部１０ｂに寸法誤差があったとしても、コイル６ｃ，６ｄのうちの一方のコイルの装填が他方のコイルの装填に影響を与えることはなく、寸法誤差があった方のコイル６ｃ，６ｄ又はコイル装填部１０ｂを微調整すればよい。すなわち、コイル６ｃ，６ｄをコイル装填部１０ｂに対して容易に装填できるので、ＦＰＣ７を可動枠１０に対して容易に固定させることができる。
【００３２】
また、ＦＰＣ７の第１の延在部７ｅは、第１の延在部７ｅの一端に設けられた可動枠側固定部７ｄから可動枠１０に沿って延在し、第１の延在部７ｅは、可動枠１０のコイル装填部１０ｂ側の第１の隅部１０ｔから、この第１の隅部１０ｔに対向する第２の隅部１０ｕを越えて延在している。また、ＦＰＣ７の第１の延在部７ｅは、光軸Ｃの直交方向に幅を有する面状となっており、第１の延在部７ｅの他端には、光軸Ｃ方向に直角に折り曲げられた第１の折り曲げ部７ｆが設けられているので、この第１の折り曲げ部７ｆでねじれに対抗する突っ張り力が働き、第１の延在部７ｅは光軸Ｃの直交方向に回転しにくくなっている。
【００３３】
ＦＰＣ７の第２の延在部７ｇは、この一端であるＦＰＣ７の第１の折り曲げ部７ｆから光軸Ｃ方向に延在しており、図２に示されるように、第２の延在部７ｇは、この他端でベース部３に固定されるベース側固定部（第２の固定部）７ｍを有している。ＦＰＣ７の各ベース側固定部７ｍにおいて、ＦＰＣ７の第２の延在部７ｇは、ベース部３に形成された左右一対の係止突起３ｇに挟まれることによって固定されている。
【００３４】
ＦＰＣ７の第２の延在部７ｇにおける第１の折り曲げ部７ｆの反対側の端部には、第２の延在部７ｇから外方に直角に折り曲げられた第２の折り曲げ部７ｈが設けられている。各第２の折り曲げ部７ｈには、蓋体２及びベース部３から外方に延在する第３の延在部７ｋが設けられている。そして、各第３の延在部７ｋにおける第２の折り曲げ部７ｈの反対側の端部は、蓋体２及びベース部３に対して外方に延在する給電基部７ｐに接続されている。このＦＰＣ７の給電基部７ｐは、外部回路（不図示）に接続されており、外部回路からレンズ保持枠２０を動作させるための駆動信号を受けて像振れ補正用駆動部６のコイル６ｃ，６ｄに供給させる。
【００３５】
次に、レンズ保持枠２０の動作について説明する。
【００３６】
レンズ駆動装置１が組み込まれた機器（例えばカメラ）で撮影しているときに手振れが発生すると、光軸Ｃの位置が変化することがある。この場合、ジャイロセンサ等の手振れ検出センサが手振れを検知し、制御手段（不図示）は、光軸Ｃの位置が所定位置に維持されるように、レンズ保持枠２０の駆動信号をＦＰＣ７を介してコイル６ｃ，６ｄに出力する。
【００３７】
そして、図７に示されるように、像振れ補正用駆動部６のマグネット６ａ及びコイル６ｃは、マグネット６ａとレンズＲの中心Ｏとを結ぶ直線の方向に働く駆動力Ｆ１を発生させ、レンズ保持枠２０を可動枠１０に対して駆動力Ｆ１が働く方向に移動させる。像振れ補正用駆動部６のマグネット６ｂ及びコイル６ｄは、マグネット６ｂと中心Ｏとを結ぶ直線の方向に働く駆動力Ｆ２を発生させ、レンズ保持枠２０を可動枠１０に対して駆動力Ｆ２が働く方向に移動させる。この駆動力Ｆ１，Ｆ２が働く方向へのレンズ保持枠２０の移動により、光軸Ｃの位置が定位置に移動され、手振れが補正される。
【００３８】
以上、レンズ駆動装置１において、可撓性を有するＦＰＣ７は、図９に示されるように、可動枠１０における光軸Ｃの直交方向に延在する面１０ｓに沿って延在する第１の延在部７ｅと、第１の延在部７ｅにおける可動枠側固定部７ｄの反対側の端部で連結され光軸Ｃの方向に延在する第２の延在部７ｇとを有している。そして、光軸Ｃの直交方向に延在する第１の延在部７ｅは可動枠１０に固定され、光軸Ｃ方向に延在する第２の延在部７ｇは、図２に示されるようにベース部３に固定されている。よって、第１の延在部７ｅと第２の延在部７ｇとは直角を成し、第１の延在部７ｅと第２の延在部７ｇとは可動枠１０及びベース部３に沿って配置されているので、従来のＦＰＣと比較して、ＦＰＣ７が装置内部で占めるスペースを低減させることができる。従って、確保しなければならないＦＰＣ７の配置スペースを低減させることができるので、装置を小型化させることが可能となる。
【００３９】
また、可動枠側固定部７ｄを有する第１の延在部７ｅと、ベース側固定部７ｍを有する第２の延在部７ｇとが直角を成しているので、この直角部分で突っ張り力が働くことにより、第１の延在部７ｅが光軸Ｃに直交する平面上で回転しにくくなっている。このように、第１の延在部７ｅと第２の延在部７ｇとが直交しているので、光軸Ｃに直交する平面上における回転方向への力が可動枠１０にかかりにくくなっている。よって、可動枠１０が光軸Ｃ方向への軌道から逸脱して移動する事態の発生を抑制できるので、可動枠１０のベース部３に対する光軸Ｃ方向への移動を安定させることができる。
【００４０】
また、ＦＰＣ７において、可動枠側固定部７ｄは、可動枠１０における光軸Ｃの直交方向に延在する面１０ｓの第１の隅部１０ｔに位置し、第１の延在部７ｅは、コイル装填部１０ｂ側の第１の隅部１０ｔから、この第１の隅部１０ｔに対向する第２の隅部１０ｕを越えて延在している。よって、第１の延在部７ｅを可動枠１０上で長く配置させることができ、第１の延在部７ｅにおける可動枠側固定部７ｄと、第２の延在部７ｇにおけるベース側固定部７ｍとの距離を長くすることができる。このように、可動枠側固定部７ｄの位置がベース側固定部７ｍから離れているので、可動枠１０をベース部３に対して光軸Ｃ方向に移動させたときに固定部を中心として回転する回転方向の力が働きにくくなる。従って、可動枠１０が光軸Ｃ方向への軌道から逸脱して移動するおそれを回避できるので、可動枠１０のベース部３に対する移動を安定させることができる。また、ＦＰＣ７において、第１及び第２の延在部７ｅ，７ｇは、給電基部７ｐから二股に分かれて延在する第１及び第２の枝部７ａ，７ｂから成っている。よって、第１及び第２の枝部７ａ，７ｂに設けられたそれぞれの延在部７ｅ，７ｇを互いに独立して撓ませることができる。
【００４１】
本発明は、前述した実施形態に限定されず、本発明の要旨を逸脱しない範囲で種々の変形が可能である。
【００４２】
ＦＰＣ７の可動枠側固定部７ｄではコイル６ｃ，６ｄが可動枠１０のコイル装填部１０ｂに装填されることによってＦＰＣ７が可動枠１０に固定され、ＦＰＣ７のベース側固定部７ｍでは第２の延在部７ｇがベース部３の係止突起３ｇに挟まれることでＦＰＣ７がベース部３に固定されていた。しかし、これらの固定方法に限られず、例えば接着や半田等によって固定されていても良い。
【００４３】
また、像振れ補正用駆動部６のコイル６ｃ，６ｄに駆動信号を供給するＦＰＣ７について説明したが、焦点調節用駆動部４のコイル４ａに駆動信号を供給するＦＰＣ５に本発明を適用することも可能である。また、焦点調節用駆動部４のマグネット４ｄ，４ｅ，４ｆを可動枠１０に配置し、焦点調節用駆動部４のコイル４ａ及びヨーク１６をベース部３に配置したが、マグネット４ｄ，４ｅ，４ｆと、コイル４ａ及びヨーク１６との配置関係を逆転させて、焦点調節用駆動部４のコイル４ａに駆動信号を供給してもよい。
【００４４】
また、板状の可撓性部材であるＦＰＣ７について説明したが、板状のＦＰＣでなくても良く、例えば線状を成すワイヤであっても良い。
【符号の説明】
【００４５】
１…レンズ駆動装置、３…ベース部、６…駆動部、７…ＦＰＣ（給電部）、７ａ，７ｂ…枝部、７ｄ…可動枠側固定部（第１の固定部）、７ｅ…第１の延在部、７ｇ…第２の延在部、７ｋ…第３の延在部、７ｍ…ベース側固定部（第２の固定部）、７ｐ…給電基部、１０…可動枠、１０ｂ…コイル装填部、１０ｓ…面、１０ｔ，１０ｕ…隅部、Ｃ…光軸、Ｒ…レンズ。
【図１】
2014145854.tif 000003
【図２】
2014145854.tif 000004
【図３】
2014145854.tif 000005
【図４】
2014145854.tif 000006
【図５】
2014145854.tif 000007
【図６】
2014145854.tif 000008
【図７】
2014145854.tif 000009
【図８】
2014145854.tif 000010
【図９】
2014145854.tif 000011